【事件の表示】
　特願２０１３−５１１１２９「ビデオ・レコーダーまたはセットトップボックスＳＴＢを通じて利用可能な放送番組のタグ付けされたリストの選択的表示」拒絶査定不服審判事件〔平成２３年１１月２４日国際公開、ＷＯ２０１１／１４６０３９、平成２５年　８月　８日国内公表、特表２０１３−５３１９２２〕について、次のとおり審決する。
【結　論】
　本件審判の請求は、成り立たない。
【理　由】
第１　手続の経緯及び本願発明
１　手続の経緯
　本件出願は、２０１０年（平成２２年）５月１７日を国際出願日とする出願であって、その手続の経緯は、以下のとおりである。
　　
　平成２６年　５月　１日：拒絶理由の通知
　平成２６年１１月　６日：意見書
　平成２６年１２月１１日：拒絶査定
　平成２６年１２月１６日：拒絶査定の謄本の送達
　平成２７年　４月１５日：拒絶査定不服審判の請求
　平成２８年　３月１４日：拒絶理由の通知（当審）
　平成２８年　９月１２日：手続補正
　平成２８年１０月　３日：拒絶理由の通知（最後、当審）
　平成２８年１２月２６日：手続補正
　　
２　平成２８年１０月３日付け拒絶理由の通知（最後）の概要
　平成２８年１０月３日付け拒絶理由の通知（最後）は、概略、次のとおりである。
　　
［拒絶の理由］
　この出願の請求項１〜１９に係る発明は、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　
　　　　　　　　　　記
　引用文献１：特開２００５−１４２９０４号公報
　　
第２　補正却下の決定
　平成２８年１２月２６日付けの手続補正について次のとおり決定する。
　　
［補正却下の決定の結論］
　平成２８年１２月２６日付けの手続補正を却下する。
　　
［理由］
１　補正の内容
　平成２８年１２月２６日付けの手続補正（以下「本件補正」という。）は、特許請求の範囲についてする補正である。
　　
　補正前の請求項１〜１９
「　【請求項１】
　デジタル・ビデオ・レコーダー（DVR）によって実行される方法であって：
　家庭内のある位置を示すタグを用いて、前記DVRを通じて利用可能な番組をタグ付けする段階と；
　タグ付けされた番組を、前記家庭内の前記位置にあると指示されている表示装置のための前記DVRを通じて利用可能な番組の一覧に選択的に含める段階とを含む、
方法。
　　【請求項２】
　前記DVRに以前に記録された番組を選択する段階を含む、請求項１記載の方法。
　　【請求項３】
　前記DVRによって記録されるようスケジュールされている番組を選択する段階をさらに含む、請求項１記載の方法。
　　【請求項４】
　前記DVRを通じて利用可能な番組の一覧から番組を選択する段階を含む、請求項１記載の方法。
　　【請求項５】
　前記DVRを通じて利用可能な番組をタグ付けする段階が、その番組を制約されているものとしてタグ付けする段階を含む、請求項１記載の方法。
　　【請求項６】
　前記DVRを通じて利用可能な番組をタグ付けする段階が、その番組を好ましいとしてタグ付けする段階を含む、請求項１記載の方法。
　　【請求項７】
　タグ付けされた番組を、前記DVRを通じて利用可能な番組の一覧に選択的に含める段階が、許可に応答して、タグ付けされた番組を、前記DVRを通じて利用可能な番組の一覧に選択的に含めることを含む、請求項１記載の方法。
　　【請求項８】
　ユーザーから受領されるパスワードに応答して許可を生成する段階を含む、請求項７記載の方法。
　　【請求項９】
　時刻に応答して許可を生成する段階を含む、請求項７記載の方法。
　　【請求項１０】
　タグ付けされた番組を、前記DVRを通じて利用可能な番組の一覧に選択的に含める段階が：
　前記タグ付けされた番組を、前記家庭内の前記位置とは異なる位置にある表示装置については、前記DVRを通じて利用可能な番組の一覧から省くことを含む、
請求項１記載の方法。
　　【請求項１１】
　タグ付けされた番組を、前記DVRを通じて利用可能な番組の一覧に選択的に含める段階が：
　タグ付けされた番組のみを、前記DVRを通じて利用可能な番組の一覧に含めることを含む、
請求項１記載の方法。
　　【請求項１２】
　前記DVRがネットワーク・ベースのDVRである、請求項１記載の方法。
　　【請求項１３】
　前記DVRがゲートウェイ装置である、請求項１記載の方法。
　　【請求項１４】
　DVRシステムであって：
　前記DVRを通じて利用可能となる番組コンテンツを受領する受領器と；
　家庭内のある位置を示すタグを用いて、前記DVRを通じて利用可能な番組をタグ付けし；タグ付けされた番組を、前記家庭内の前記位置にあると指示されている表示装置のための前記DVRを通じて利用可能な番組の一覧に選択的に含めるよう構成された処理器と；
　前記DVRを通じて利用可能な番組およびタグ付けされた番組の情報を記憶する記憶装置と；
　タグ付けされた番組を選択的に含む、前記DVRを通じて利用可能な番組の一覧を提供する出力インターフェースとを有する、
DVRシステム。
　　【請求項１５】
　前記出力インターフェースがさらに、ネットワーク接続を通じて受領器に接続するためのネットワーク接続機能を有する、請求項１４記載のDVRシステム。
　　【請求項１６】
　ユーザーからの入力を受領する入力インターフェースをさらに有する、請求項１４記載のDVRシステム。
　　【請求項１７】
　前記入力インターフェースがさらに、タグ付けされた番組を前記DVRを通じて利用可能な番組の一覧に選択的に含めるための許可を受領するよう構成されている、請求項１６記載のDVRシステム。
　　【請求項１８】
　処理器が、前記タグ付けされた番組を、前記家庭内の前記位置とは異なる位置にある表示装置については、前記DVRを通じて利用可能な番組の一覧から省くよう構成されている、
請求項１４記載のDVRシステム。
　　【請求項１９】
　前記処理器が、タグ付けされた番組のみを、前記DVRを通じて利用可能な番組の一覧に含めるよう構成されている、
請求項１４記載のDVRシステム。」
　　
を、次のとおり補正後の請求項１〜１９に補正するものである。
　　
「　【請求項１】
　デジタル・ビデオ・レコーダー（DVR）によって実行される方法であって：
　家庭内のある位置を示すタグを用いて、前記DVRを通じて利用可能な番組をタグ付けする段階と；
　タグ付けされた番組を、前記家庭内の前記位置にあると指示されている表示装置
に表示するための一覧であって
方法。
　　【請求項２】
　前記DVRに以前に記録された番組を選択する段階を含む、請求項１記載の方法。
　　【請求項３】
　前記DVRによって記録されるようスケジュールされている番組を選択する段階をさらに含む、請求項１記載の方法。
　　【請求項４】
　前記DVRを通じて利用可能な番組の一覧から番組を選択する段階を含む、請求項１記載の方法。
　　【請求項５】
　前記DVRを通じて利用可能な番組をタグ付けする段階が、その番組を制約されているものとしてタグ付けする段階を含む、請求項１記載の方法。
　　【請求項６】
　前記DVRを通じて利用可能な番組をタグ付けする段階が、その番組を好ましいとしてタグ付けする段階を含む、請求項１記載の方法。
　　【請求項７】
　タグ付けされた番組を、前記DVRを通じて利用可能な番組の一覧に選択的に含める段階が、許可に応答して、タグ付けされた番組を、前記DVRを通じて利用可能な番組の一覧に選択的に含めることを含む、請求項１記載の方法。
　　【請求項８】
　ユーザーから受領されるパスワードに応答して許可を生成する段階を含む、請求項７記載の方法。
　　【請求項９】
　時刻に応答して許可を生成する段階を含む、請求項７記載の方法。
　　【請求項１０】
　タグ付けされた番組を、前記DVRを通じて利用可能な番組の一覧に選択的に含める段階が：
　前記タグ付けされた番組を、前記家庭内の前記位置とは異なる位置にある表示装置については、前記DVRを通じて利用可能な番組の一覧から省くことを含む、
請求項１記載の方法。
　　【請求項１１】
　タグ付けされた番組を、前記DVRを通じて利用可能な番組の一覧に選択的に含める段階が：
　タグ付けされた番組のみを、前記DVRを通じて利用可能な番組の一覧に含めることを含む、
請求項１記載の方法。
　　【請求項１２】
　前記DVRがネットワーク・ベースのDVRである、請求項１記載の方法。
　　【請求項１３】
　前記DVRがゲートウェイ装置である、請求項１記載の方法。
　　【請求項１４】
　DVRシステムであって：
　前記DVRを通じて利用可能となる番組コンテンツを受領する受領器と；
　家庭内のある位置を示すタグを用いて、前記DVRを通じて利用可能な番組をタグ付けし；タグ付けされた番組を、前記家庭内の前記位置にあると指示されている表示装置
に表示するための一覧であって
　前記DVRを通じて利用可能な番組およびタグ付けされた番組の情報を記憶する記憶装置と；
　タグ付けされた番組を選択的に含む、前記DVRを通じて利用可能な番組の一覧を提供する出力インターフェースとを有する、
DVRシステム。
　　【請求項１５】
　前記出力インターフェースがさらに、ネットワーク接続を通じて受領器に接続するためのネットワーク接続機能を有する、請求項１４記載のDVRシステム。
　　【請求項１６】
　ユーザーからの入力を受領する入力インターフェースをさらに有する、請求項１４記載のDVRシステム。
　　【請求項１７】
　前記入力インターフェースがさらに、タグ付けされた番組を前記DVRを通じて利用可能な番組の一覧に選択的に含めるための許可を受領するよう構成されている、請求項１６記載のDVRシステム。
　　【請求項１８】
　処理器が、前記タグ付けされた番組を、前記家庭内の前記位置とは異なる位置にある表示装置については、前記DVRを通じて利用可能な番組の一覧から省くよう構成されている、
請求項１４記載のDVRシステム。
　　【請求項１９】
　前記処理器が、タグ付けされた番組のみを、前記DVRを通じて利用可能な番組の一覧に含めるよう構成されている、
請求項１４記載のDVRシステム。」
（下線は補正箇所を示す。）
　　
２　補正の適合性 
（１）新規事項、発明の特別な技術的特徴の変更、補正の目的 
　本件補正は、補正前の請求項１、１４における「一覧」が「前記家庭内の前記位置にあると指示されている表示装置」に「表示するための」一覧であることを限定するものである。
　本件補正は、願書に最初に添付された明細書の段落【００４０】等に基づくものであり、願書に最初に添付された明細書に記載された事項の範囲内である。
　また、本件補正は、発明の特別な技術的特徴を変更する補正ではない。
　さらに、本件補正は、特許請求の範囲の減縮を目的とするものと認められる。
　　
（２）独立特許要件 
　上記のとおり本件補正は特許請求の範囲の減縮を目的としているので、本件補正後における発明が特許出願の際独立して特許を受けることができるものであるか否かを、以下に検討する。
 　 
（３）補正後発明 
　補正後の請求項１〜１９に係る発明のうち請求項１に係る発明は、次のとおりのものである（この発明を以下「補正後発明」という。）。
　　
（補正後発明）
「（Ａ）デジタル・ビデオ・レコーダー（DVR）によって実行される方法であって：
（Ｂ）家庭内のある位置を示すタグを用いて、前記DVRを通じて利用可能な番組をタグ付けする段階と；
（Ｃ）タグ付けされた番組を、前記家庭内の前記位置にあると指示されている表示装置に表示するための一覧であって前記DVRを通じて利用可能な番組の一覧に選択的に含める段階と
（Ｄ）を含む、方法。」
　　
（（Ａ）〜（Ｄ）は、当審で付与した。以下各構成要件を「構成要件Ａ」等という。）
　　
（４）引用文献１の記載及び引用文献１に記載された発明
ア　引用文献１の記載
　原査定の拒絶の理由に引用された特開２００５−１４２９０４号公報（上記引用文献１、以下「引用文献１」という。）には、「番組受信装置、情報入力装置、サーバ装置、番組出力装置、及び録画再生情報送信装置」（発明の名称）に関し、図面と共に次に掲げる事項が記載されている（下線は当審で付与した。）。
　　
「【０１０６】
　次に、本実施の形態による番組出力装置の動作について、具体例を用いて説明する。ここで、番組情報格納部５１が格納している番組情報は、図１３で示すものであり、本実施の形態による番組出力装置は、ＰＣ（Ｐｅｒｓｏｎａｌ　Ｃｏｍｐｕｔｅｒ）であり、番組出力部６０は、このＰＣに接続されたテレビ受像機（図示せず）に番組を出力するものとする。
　【０１０７】
　まず、番組時刻情報蓄積部５６が番組情報と時刻情報を蓄積するまでの動作について説明する。
　視聴予約（出力予約）を行うソフトウェア・プログラムをユーザが起動すると（ステップＳ４０１）、図１７で示される表示がディスプレイ（図示せず）になされる。この表示において、ユーザは、番組情報とスケジュール枠について、所望の日付をマウスでダブルクリックすることにより選択する。ユーザが番組情報として２００３年８月１日を選択し、スケジュール枠として２００３年８月３日を選択したとする。すると、配置指示受付部５５がその旨を受け付け、番組情報表示部５２に対して、２００３年８月１日の番組情報を表示するように指示し、スケジュール枠表示部５４に対して、２００３年８月３日のスケジュール枠を表示するように指示する。番組情報表示部５２は、２００３年８月１日の番組情報を番組情報格納部５１から読み出してディスプレイに表示し、スケジュール枠表示部５４は、２００３年８月３日のスケジュール枠をディスプレイに表示する。その結果、図１８の表示がディスプレイに表示される（ステップＳ４０２）。図１８において、右側のウィンドー７１により、２００３年８月１日の番組情報が表示され、左側のウィンドー７２により、２００３年８月３日のスケジュール枠が表示されている。
　【０１０８】
　図１９で示すように、ユーザがマウスを操作することにより、番組「ドラマ００１」をスケジュール枠の９時から１０時の間にドラッグドロップする。すると、配置指示受付部５５は、「ドラマ００１」の番組情報を番組情報表示部５２から受け取り、その番組情報と、「ドラマ００１」が配置された時刻である「２００３年８月３日９時０分」を示す時刻情報とを番組時刻情報蓄積部５６に渡す（ステップＳ４０３）。その結果、番組時刻情報蓄積部５６は、図１４の１番目のレコードで示されるように、番組情報と時刻情報を蓄積する（ステップＳ４０４）。
　【０１０９】
　次に、番組を蓄積する動作について説明する。２００３年８月１日において、２１時直前になると、番組蓄積部５９は、録画時刻が近づいたと判断し（ステップＳ４０５）、番組受信部５８に４チャンネルの番組を受信させて、２１時から番組受信部５８が受信した放送番組の蓄積を開始する（ステップＳ４０６）。このときには、番組情報に対応する番組識別子「１００１」に対応付けて放送番組のデータを蓄積する。
番組蓄積部５９は
その番組名のＭＰＥＧデータを蓄積する
　【０１１０】
　次に、番組を出力する動作について説明する。２００３年８月３日において、９時直前になると、番組出力部６０は、出力時刻が近づいたと判断し（ステップＳ４０７）、出力対象となる番組の番組識別子「１００１」を番組時刻情報蓄積部５６が蓄積した情報から取得し、その番組識別子「１００１」に対応する番組のデータ「ドラマ００１．ｍｐｇ」を番組蓄積部５９が蓄積した番組のデータから読み出して、９時に番組の出力を開始する（ステップＳ４０８）。このようにして、ＰＣに接続されたテレビ受像機に番組「ドラマ００１」が表示され、ユーザは、その番組を視聴することができる。また、番組出力部６０は、出力している番組に対応する番組情報と時刻情報とを取得し、それらの情報を出力番組情報として出力番組蓄積部６１に渡すと、出力番組情報は、その出力番組情報を蓄積する（ステップＳ４０９）。そのようにして蓄積された出力番組情報は、図１６の１番目のレコードで示されるものとなる。その出力番組情報は、例えば、毎月１日の午前２時に、所定のサーバに対して出力番組出力部６２によって送信され、そのサーバにおいて、ユーザの視聴傾向を分析するために用いられる。
　【０１１１】
　また、番組出力部６０は、出力を開始した番組の番組情報と時刻情報を削除するように番組時刻蓄積部５６に指示する。その結果、その番組情報と時刻情報が削除される（ステップＳ４１０）。
　【０１１２】
　以上のように、
本実施の形態による番組出力装置によれば、１以上の番組情報を表示する番組情報表示部５２と、スケジュール枠を表示するスケジュール枠表示部５４と、スケジュール枠表示部５４が表示したスケジュール枠に対して、番組情報表示部５２が表示した番組情報を配置する指示を受け付ける配置指示受付部５５と、配置指示受付部５５が受け付けた指示により特定される番組情報と、その番組情報が配置されたスケジュール枠が示す時刻の情報である時刻情報とを対応付けて蓄積する番組時間情報蓄積部５６と、番組受信部５８が受信した番組であって、番組時間情報蓄積部５６が蓄積した番組情報が示す番組を蓄積する番組蓄積部５９と、番組時間情報蓄積部５６が蓄積した時刻情報が示す時刻に、当該時刻情報に対応する番組情報が示す番組を番組蓄積部５９が蓄積した番組から読み出して出力する番組出力部６０とを備えた
　【０１１３】
　なお、
配置指示受付部５５がスケジュール枠に対する番組情報の配置の指示を受け付けるときに、番組を出力する対象となる機器ごとにその指示を受け付け、番組時刻情報蓄積部５６は、その機器ごとに番組情報と時刻情報を蓄積し、さらに、番組出力部６０は、その機器ごとに、番組の出力を行ってもよい
その場合には、配置指示受付部５５が、番組を出力する対象となる機器ごとの機器識別子に対応付けて指示を受け付け、番組時刻情報蓄積部５６がその機器識別子に対応付けて番組情報と時刻情報を蓄積し、番組出力部６０が機器識別子で識別される機器に対して、対応する番組を出力する
　【０１１４】
　具体的には、図２０で示すように、リビングルームのディスプレイに出力する番組の視聴予約はウィンドー７２で指定し、子供部屋のディスプレイに出力する番組の視聴予約はウィンドー７３で指定する。その結果、
番組時刻情報蓄積部５６が蓄積した番組情報と時刻情報とは
番組を出力する対象となる機器（
ディスプレイ）を示す情報に対応付けられる
ここで、ディスプレイの欄が「１」である場合には、リビングルームのディスプレイに出力することを意味し、ディスプレイの欄が「２」である場合には、子供部屋のディスプレイに出力することを意味する
番組出力部６０は、このディスプレイの欄に応じて、番組をリビングルームのディスプレイや、子供部屋のディスプレイに出力する
　【０１１５】
　このようにすることで、例えば、本実施の形態による
番組出力装置がホームサーバである場合に、子供向けの番組は子供部屋のディスプレイに出力し、映画やニュースなどの番組はリビングルームのディスプレイに出力するというように、出力する対象となる機器を区別することができる。その結果、放送番組を一元管理しながら、各機器に相応しい番組の出力を行うことができる
　【０１１６】
　また、本実施の形態では、番組時刻情報蓄積部５６が蓄積する時刻情報には「年月日」の情報も含まれる場合について説明したが、例えば、番組が放送された同日に番組の出力を行うような場合等（例えば、１９時から放送されるニュースを、２３時から出力するような場合）には、時刻情報は年月日に関する情報を含まなくてもよい。
　【０１１７】
　また、本実施の形態では、番組の出力時刻の設定を行うことにより番組の録画予約も行う場合について説明したが、例えば、
大容量の記録媒体を用いて、数か月程度の全放送番組を記録しておくことができる場合
　　
「【図２０】
」
　　
「【図２１】
」
　　
イ　引用文献１に記載された発明
（ア）引用文献１に記載された「番組出力装置」は、(i)番組の視聴予約を行い、番組を出力するものであって、１以上の番組情報とスケジュール枠を表示し、表示したスケジュール枠に対して、番組情報を配置する指示を受け付け、受け付けた指示により特定される番組情報と、その番組情報が配置されたスケジュール枠が示す時刻の情報である時刻情報とを対応付けて番組時間情報蓄積部に蓄積し、(ii)番組受信部が受信した番組であって、番組時間情報蓄積部に蓄積した番組情報が示す番組を番組蓄積部に蓄積し、(iii)番組時間情報蓄積部が蓄積した時刻情報が示す時刻に、当該時刻情報に対応する番組情報が示す番組を番組蓄積部が蓄積した番組から読み出して出力する（段落【００１２】、詳細は【０１０６】〜【０１１０】）。
　また、段落【０１１７】には、大容量記録媒体を用いて全放送番組を記録することが記載されている。
　そして、段落【０１１３】には、「スケジュール枠に対する番組情報の配置の指示を受け付けるときに、番組を出力する対象となる機器ごとにその指示を受け付け、番組時刻情報蓄積部５６は、その機器ごとに番組情報と時刻情報を蓄積」することが記載され、ここでの機器は、子供部屋のディスプレイ、リビングルームのディスプレイである（段落【０１１４】、【０１１５】）。番組出力装置における番組蓄積部は、放送番組のＭＰＥＧデータを蓄積する（段落【０１０９】）。
　　
（イ）引用文献１に記載された、ディスプレイごとに、番組の視聴予約を行い、番組を蓄積し、視聴予約した時刻に当該ディスプレイに番組を出力する番組出力装置の動作を、方法の発明として認定する。
　　
（イ−１）視聴予約
　番組出力装置は、視聴予約として、ディスプレイごとに、「１以上の番組情報とスケジュール枠を表示し、表示したスケジュール枠に対して、番組情報を配置する指示を受け付け、受け付けた指示により特定される番組情報と、その番組情報が配置されたスケジュール枠が示す時刻の情報である時刻情報とを対応付けて番組時間情報蓄積部に蓄積」する（上記（ア）(i)）から、番組出力装置の動作として、『ディスプレイごとに、時刻情報と番組情報とを対応付けて番組視聴予約する段階』があるといえる。
　　
（イ−２）番組の蓄積
　番組出力装置は、「番組受信部が受信した番組であって、番組時間情報蓄積部に蓄積した番組情報が示す番組を番組蓄積部に蓄積」する（上記（ア）(ii)）から、番組出力装置の動作として、『番組を番組蓄積部に蓄積する段階』があるといえる。番組蓄積部は、『番組のＭＰＥＧデータを蓄積する』（上記（ア）段落【０１０９】）。
　　
（イ−３）番組の出力
　番組出力装置は、ディスプレイごとに、「番組時間情報蓄積部が蓄積した時刻情報が示す時刻に、当該時刻情報に対応する番組情報が示す番組を番組蓄積部が蓄積した番組から読み出して出力する」（上記（ア）(iii)）から、『前記時刻情報が示す時刻に、当該ディスプレイに当該番組を出力する段階』があるといえる。
　　
（ウ）また、番組を出力する対象となる機器ごとにその指示を受け付け、番組時刻情報蓄積部５６は、その機器ごとに番組情報と時刻情報を蓄積する（段落【０１１３】）場合は、「図２１で示すように、番組を出力する対象となる機器（図２１ではディスプレイ）を示す情報に対応付けられる。ここで、ディスプレイの欄が「１」である場合には、リビングルームのディスプレイに出力することを意味し、ディスプレイの欄が「２」である場合には、子供部屋のディスプレイに出力することを意味する。」（段落【０１１４】）から、番組は家庭内にある位置を示す数字を用いて対応付けられている。
　上記の「番組を出力する対象となる機器ごとにその指示を受け付け、番組時刻情報蓄積部５６は、その機器ごとに番組情報と時刻情報を蓄積する」場合の番組出力装置の動作としては、『家庭内にある位置を示す数字を用いて、番組蓄積部に蓄積される番組を対応付ける段階』があるといえる。
　　
（エ）以上より、引用文献１には、次の発明（以下「引用発明」という。）が記載されていると認められる。
　　
（引用発明）
（ａ）番組のＭＰＥＧデータを蓄積する番組蓄積部を備えた番組出力装置によって実行される方法であって、
（ｂ）ディスプレイごとに、時刻情報と番組情報とを対応付けて番組視聴予約する段階と、
（ｃ）番組を番組蓄積部に蓄積する段階と、
（ｄ）家庭内にある位置を示す数字を用いて、番組蓄積部に蓄積される番組を対応付ける段階と、
（ｅ）前記時刻情報が示す時刻に、当該ディスプレイに当該番組を出力する段階と、
（ｆ）を含む、方法。
　　
　なお、（ａ）〜（ｆ）は、構成を識別するために付与した。以下各構成を「構成ａ」等という。
　　
（５）対比
ア　補正後発明と引用発明との対比
　補正後発明と引用発明とを対比する。
　　
（ア）構成要件Ａと構成ａとを対比する。
　引用発明の「番組出力装置」は「番組のＭＰＥＧデータを蓄積する」から、補正後発明の「デジタル・ビデオ・レコーダー（DVR）」に相当する。
　したがって、補正後発明と引用発明とは、「デジタル・ビデオ・レコーダー（DVR）によって実行される方法」として一致する。
　　
（イ）構成要件Ｂと構成ｄとを対比する。
　引用発明の「番組蓄積部に蓄積される番組」は、構成ｅのように「ディスプレイに」「出力」されるから、補正後発明の「前記DVRを通じて利用可能な番組」に相当する。
　引用発明の「数字」は、補正後発明の「タグ」に対応し、「情報」として共通するといえるものの、「情報」が、補正後発明においては「タグ」であるのに対し、引用発明においては「数字」である点で相違する。
　したがって、補正後発明と引用発明とは、「家庭内のある位置を示す情報を用いて、前記DVRを通じて利用可能な番組を対応付ける段階」を含む点で共通する。
　しかしながら、「情報」が、補正後発明においては、「タグ」であるのに対し、引用発明においては、「数字」である点で相違し、この相違に伴い、「対応付ける」が、補正後発明においては、「タグ付けする」のに対し、引用発明が「タグ付けする」ものでない点で相違する。
　　
（ウ）構成要件Ｃについて
　引用発明は「タグ付けされた番組を、前記家庭内の前記位置にあると指示されている表示装置に表示するための一覧であって前記DVRを通じて利用可能な番組の一覧に選択的に含める段階」を含んでおらず、補正後発明と相違する。
　　
（エ）構成要件Ｄと構成ｆとを対比する。
　上記（ア）のとおり、補正後発明と引用発明とは「デジタル・ビデオ・レコーダー（DVR）によって実行される方法」として一致し、上記（イ）のとおり、「家庭内のある位置を示す情報を用いて、前記DVRを通じて利用可能な番組を対応付ける段階」を含む点で共通するから、「を含む、方法。」として、一致する。
　　
イ　一致点、相違点
　以上より、補正後発明と引用発明との一致点、相違点は次のとおりである。
　　
（一致点）
　デジタル・ビデオ・レコーダー（DVR）によって実行される方法であって：
　家庭内のある位置を示す情報を用いて、前記DVRを通じて利用可能な番組を対応付ける段階
　を含む方法。
　　
（相違点１）
　「家庭内のある位置を示す情報を用いて、前記DVRを通じて利用可能な番組を対応付ける段階」における「情報」が、補正後発明においては「タグ」であるのに対し、引用発明においては「数字」である点で相違し、この相違に伴い、当該段階における「対応付ける」が、補正後発明においては「タグ付けする」のに対し、引用発明においては「タグ付けする」ものではない点
　　
（相違点２）
　補正後発明においては、「タグ付けされた番組を、前記家庭内の前記位置にあると指示されている表示装置に表示するための一覧であって前記DVRを通じて利用可能な番組の一覧に選択的に含める段階」を含むのに対し、引用発明においては、当該段階を含まない点
　　
（６）相違点の判断等 
ア　「タグ」について（相違点１）
　タグを用いてタグ付けし、情報を識別することはよく知られていることであり、家庭内のある位置を示す情報を用いて番組を対応付けるにあたり「数字」を用いることに代えて、タグを用いてダグ付けすることは当業者が容易に想到し得ることである。
　　
イ　「番組の一覧」について（相違点２）
　引用発明の「番組出力装置」は、ディスプレイごとに視聴予約した番組を出力するものであり、ここでディスプレイのユーザが、視聴予約された番組を確認するために当該番組の一覧を当該ディスプレイにおいて表示しようとすることは普通に想定される。
　そのために、当該ディスプレイを用いるユーザは、番組出力装置に対し、視聴予約された番組の一覧を出力する指示を与え、番組出力装置が、当該ディスプレイに出力する視聴予約した番組の一覧を作成することは当業者が容易に着想することである。
　そのように為せば、引用発明において、「タグ付けされた番組を、前記家庭内の前記位置にあると指示されている表示装置に表示するための一覧であって前記DVRを通じて利用可能な番組の一覧に選択的に含める段階」を含むようになる。
　　
ウ　効果
　そして、補正後発明が奏する効果は、その容易想到である構成から当業者が容易に予測し得る範囲内のものであり、同範囲を超える顕著なものでもない。
　　
エ　まとめ
　したがって、補正後発明は、引用文献１に記載された発明及び周知技術に基づいて当業者が容易に発明することができたものであるから、特許法２９条２項の規定により特許出願の際独立して特許を受けることができない。 
　よって、本件補正は、特許法第１７条の２第６項において準用する同法第１２６条第７項の規定に違反する。
 　 
３　まとめ 
　したがって、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、補正却下の決定の結論のとおり決定する。
 　 
第３　本願発明について 
１　本願発明 
　平成２８年１２月２６日付けの手続補正は、上記のとおり却下されたので、本願の請求項１に係る発明は、平成２８年９月１２日付け手続補正により補正された明細書及び図面の記載からみて、その特許請求の範囲の請求項１に記載した事項により特定される、次のとおりのものである（この発明を以下「本願発明」という。）。
　　
「デジタル・ビデオ・レコーダー（DVR）によって実行される方法であって：
　家庭内のある位置を示すタグを用いて、前記DVRを通じて利用可能な番組をタグ付けする段階と；
　タグ付けされた番組を、前記家庭内の前記位置にあると指示されている表示装置のための前記DVRを通じて利用可能な番組の一覧に選択的に含める段階とを含む、
方法。」
　　
２　判断
　補正後発明は、本願発明をさらに限定したものと認められ、補正後発明が引用文献１に記載された発明及び周知技術に基づいて容易に発明できたものであることは、上記第２のとおりであるから、同じ理由で、本願発明は引用文献１に記載された発明及び周知技術に基づいて容易に発明できたものと認められる。
　　
３　むすび 
　以上のとおり、本願発明は、引用文献１に記載された発明及び周知技術に基づいて、当業者が容易に発明することができたものであるから、特許法第２９条第２項の規定により特許を受けることができない。
　したがって、本願は拒絶されるべきものである。
　　
　よって、結論のとおり審決する。